(57)【要約】【課題】ＯＦＤＭ無線通信システムにおいて、２つの異なる時間−周波数多重された物理チャネル構成を用いた場合に、パイロット信号を増加させずにチャネル推定精度を向上させることができる無線送信装置、無線受信装置及び無線通信方法を提供する。【解決手段】パイロット信号生成部１０１によって生成されたパイロットシンボルと、Ｄ−ｃｈ用第１データ処理部１０２によってＱＰＳＫ変調シンボルに変換されたＤ−ｃｈ送信データ＃１と、Ｄ−ｃｈ用第２データ処理部１０５によって変調シンボルに変換されたＤ−ｃｈ送信データ＃２と、Ｌ−ｃｈ用データ処理部１０８によって変調シンボルに変換されたＬ−ｃｈ送信データ＃１，＃２とを、多重部１１３において、予め固定されたパターンにシンボル毎に多重する。【選択図】図１
2012019542.tif 000002
【特許請求の範囲】
【請求項１】
第１アンテナ及び第２アンテナと、
離散した周波数帯の物理チャネルで送信される第１チャネル信号の第１系列と第２系列とを、ＰＳＫ変調方式またはＡＳＫ変調方式のいずれかに固定された変調方式によって変調する固定変調手段と、
変調された前記第１チャネル信号の第１系列を前記第１アンテナに振り分け、変調された前記第１チャネル信号の第２系列を前記第２アンテナに振り分け、パイロット信号と、前記振り分けた各系列と、連続した周波数帯の物理チャネルで送信される第２チャネル信号とを、予め固定されたパターンに基づいてシンボル毎にそれぞれ多重して、前記第１系列が多重された第１多重信号と前記第２系列が多重された第２多重信号とを生成する多重手段と、
前記第１多重信号を前記第１アンテナから送信し、前記第２多重信号を前記第２アンテナから送信する送信手段と、
を具備する無線送信装置。
【請求項２】
前記多重手段は、複数ＴＴＩにわたって前記第１チャネル信号を繰り返し多重する、請求項１に記載の無線送信装置。
【請求項３】
前記多重手段は、前記パイロット信号を前記第１アンテナ用及び前記第２アンテナ用に振り分けることにより、第１シンボルの第１周波数成分に前記パイロット信号が配置されると共に、前記第１周波数成分とは異なる周波数成分であって、前記第１シンボルの第２周波数成分にいずれの信号も配置されない第３系列、及び、第２シンボルの第２周波数成分に前記パイロット信号が配置されると共に、前記第２シンボルの第１周波数成分にいずれの信号も配置されない第４系列を生成し、生成した前記第３系列及び前記第４系列のそれぞれと前記第１チャネル信号の第１系列及び第２系列と前記第２チャネル信号とを多重して、前記第１系列と前記第３系列とが多重された第３多重信号と前記第２系列と前記第４系列とが多重された第４多重信号とを生成し、
前記送信手段は、前記第３多重信号を前記第１アンテナから送信し、前記第４多重信号を前記第２アンテナから送信する、請求項１に記載の無線送信装置。
【請求項４】
離散した周波数帯の物理チャネルで送信された、ＰＳＫ変調方式またはＡＳＫ変調方式のいずれかに固定された変調方式によって変調された第１チャネル信号の第１系列と第２系列と、連続した周波数帯の物理チャネルで送信された第２チャネル信号と、パイロット信号とが、予め固定されたパターンに基づいてシンボル毎に多重された多重信号であって、前記第１系列が多重された第１多重信号を第１アンテナで受信し、前記第２系列が多重された第２多重信号を前記第１アンテナとは異なる第２アンテナで受信する受信手段と、
前記パイロット信号を用いて、前記多重信号が送信された無線送信装置における送信アンテナと前記第１アンテナ及び前記第２アンテナとの間の各伝搬路のチャネル推定をそれぞれ行うチャネル推定手段と、
前記各チャネル推定結果を用いて、前記第１系列及び前記第２系列のチャネル補償を行う第１チャネル補償手段と、
チャネル補償された前記第１系列及び第２系列と前記固定されたＰＳＫ変調方式またはＡＳＫ変調方式とに基づいて、前記各チャネル推定値の誤差を検出する誤差検出手段と、
検出された前記誤差が補正された前記各チャネル推定値を用いて、前記各多重信号の空間分離を行う空間分離手段と、
を具備する無線受信装置。
【請求項５】
前記第１系列及び前記第２系列をそれぞれ誤り訂正復号化する復号化手段と、
前記各系列の誤り訂正復号結果に誤りがない場合、誤りがない復号化後の当該系列のレプリカを生成するレプリカ生成手段と、
を具備し、
前記誤差検出手段は、前記第１系列及び前記第２系列と、生成された前記各系列のレプリカとを用いて、チャネル推定値の誤差を検出する請求項４に記載の無線受信装置。
【請求項６】
パイロット信号と、ＰＳＫ変調方式またはＡＳＫ変調方式のいずれかに固定された変調方式によって変調された第１チャネル信号の第１系列と第２系列と、前記第１チャネル信号とは異なる第２チャネル信号とを、予め固定されたパターンに基づいてシンボル毎にそれぞれ多重して、前記第１系列が多重された第１多重信号と前記第２系列が多重された第２多重信号とを生成する多重工程と、
前記第１多重信号を第１アンテナから送信し、前記第２多重信号を前記第１アンテナとは異なる第２アンテナから送信する送信工程と、
を具備する無線通信方法。
【発明の詳細な説明】
【技術分野】
【０００１】
本発明は、ＯＦＤＭ（Orthogonal Frequency Division Multiplexing）無線通信システムにおいて、２つの異なる時間−周波数多重された物理チャネルを用いる無線送信装置、無線受信装置及び無線通信方法に関する。
【背景技術】
【０００２】
次世代の移動体通信システムでは、伝送レートの向上及び周波数利用効率の向上を図るため、伝送方式の候補としてＯＦＤＭ方式、多値変調方式、ＭＩＭＯ（Multiple Input Multiple Output）伝送の適用が検討されている。また、移動体通信システムでは、静止している端末から高速に移動する端末（時速数１００ｋｍ程度）に到るまで通信をサポートする必要がある。
【０００３】
このように、広い範囲の移動速度に対応させつつ伝送効率を向上させるため、非特許文献１では、ＯＦＤＭＡ方式を用いた移動体通信システムにおいて、２つの異なる時間−周波数割り当てを行う物理チャネル構成が検討されている。
【０００４】
一つには、集中型チャネル（Localized channel:Ｌ−ｃｈ）構成であり、このチャネル構成では、連続した周波数帯（サブキャリア）を１つの物理チャネル（リソースブロック）として利用し、周波数スケジューリングによってスループットを向上させられるユーザを割り当てるものである。なお、リソースブロックとは、サブキャリア又は複数サブキャリアをまとめた帯域を意味し、周波数スケジューリングの割り当て単位、適応制御の制御単位である。
【０００５】
もう一つには、分散型チャネル（Distributed channel:Ｄ−ｃｈ）構成であり、離散した周波数帯（サブキャリア）を物理チャネル（リソースブロック）として利用し、周波数ダイバーシチ利得によってスループットを向上させられるユーザを割り当てるものである。
【０００６】
また、これらのチャネルの多重方法として、時分割多重、周波数多重、時間・周波数多重が検討されている。
【０００７】
特に、Ｌ−ｃｈに割り当てられる送信データは、周波数スケジューリング及び適応変調制御が適用されることから、各リソースブロックに対して受信品質の良いユーザが優先的に割り当てられる。このため、より変調多値数の大きい変調方式（１６ＱＡＭ→６４ＱＡＭ→２５６ＱＡＭ）やマルチアンテナを用いた空間多重伝送（ＭＩＭＯ−ＳＤＭ）を用いて送信される場合が多い。
【０００８】
ところが、より変調多値数の大きい変調方式を適用する場合、また、空間多重伝送を行う場合には、受信特性はチャネル応答の時間変動やチャネル推定誤差の影響を受けやすくなる。
【０００９】
そこで、非特許文献２では、Ｌ−ｃｈ構成のチャネルに個別にパイロット信号を追加することにより、チャネル推定誤差を低減する方法が示唆されている。
【先行技術文献】
【非特許文献】
【００１０】
【非特許文献１】R1-050604 “Downlink Channelization and Multiplexing for EUTRA”3GPP TSG RAN WG1 Ad Hoc on LTE, Sophia Antipolis, France, 20 - 21 June, 2005
【非特許文献２】R1-050589 “Pilot Channel and Scrambling Code in Evolved UTRA Downlink”3GPP TSG RAN WG1 Ad Hoc on LTE Sophia Antipolis, France, 20 - 21 June, 2005
【発明の概要】
【発明が解決しようとする課題】
【００１１】
しかしながら、上記非特許文献２に開示の技術では、Ｌ−ｃｈに対してデータの代わりにパイロット信号を挿入するため、システムスループットが低下する。一方、パイロット信号の挿入数を低減すると、その分データを送信することが可能となるため、システムスループットの低下を回避することは可能であるが、チャネル推定精度が劣化するおそれが生ずる。
【００１２】
本発明の目的は、ＯＦＤＭ無線通信システムにおいて、２つの異なる時間−周波数多重された物理チャネル構成を用いた場合に、パイロット信号を増加させずにチャネル推定精度を向上させることができる無線送信装置、無線受信装置及び無線通信方法を提供することである。
【課題を解決するための手段】
【００１３】
本発明の無線送信装置は、第１アンテナ及び第２アンテナと、離散した周波数帯の物理チャネルで送信される第１チャネル信号の第１系列と第２系列とを、ＰＳＫ変調方式またはＡＳＫ変調方式のいずれかに固定された変調方式によって変調する固定変調手段と、変調された前記第１チャネル信号の第１系列を前記第１アンテナに振り分け、変調された前記第１チャネル信号の第２系列を前記第２アンテナに振り分け、パイロット信号と、前記振り分けた各系列と、連続した周波数帯の物理チャネルで送信される第２チャネル信号とを、予め固定されたパターンに基づいてシンボル毎にそれぞれ多重して、前記第１系列が多重された第１多重信号と前記第２系列が多重された第２多重信号とを生成する多重手段と、前記第１多重信号を前記第１アンテナから送信し、前記第２多重信号を前記第２アンテナから送信する送信手段と、を具備する構成を採る。
【００１４】
本発明の無線受信装置は、離散した周波数帯の物理チャネルで送信された、ＰＳＫ変調方式またはＡＳＫ変調方式のいずれかに固定された変調方式によって変調された第１チャネル信号の第１系列と第２系列と、連続した周波数帯の物理チャネルで送信された第２チャネル信号と、パイロット信号とが、予め固定されたパターンに基づいてシンボル毎に多重された多重信号であって、前記第１系列が多重された第１多重信号を第１アンテナで受信し、前記第２系列が多重された第２多重信号を前記第１アンテナとは異なる第２アンテナで受信する受信手段と、前記パイロット信号を用いて、前記多重信号が送信された無線送信装置における送信アンテナと前記第１アンテナ及び前記第２アンテナとの間の各伝搬路のチャネル推定をそれぞれ行うチャネル推定手段と、前記各チャネル推定結果を用いて、前記第１系列及び前記第２系列のチャネル補償を行う第１チャネル補償手段と、チャネル補償された前記第１系列及び第２系列と前記固定されたＰＳＫ変調方式またはＡＳＫ変調方式とに基づいて、前記各チャネル推定値の誤差を検出する誤差検出手段と、検出された前記誤差が補正された前記各チャネル推定値を用いて、前記各多重信号の空間分離を行う空間分離手段と、を具備する構成を採る。
【発明の効果】
【００１５】
本発明によれば、ＯＦＤＭ無線通信システムにおいて、２つの異なる時間−周波数多重された物理チャネル構成を用いた場合に、パイロット信号を増加させずにチャネル推定精度を向上させることができる。
【図面の簡単な説明】
【００１６】
【図１】本発明の実施の形態１に係る送信装置の構成を示すブロック図
【図２】本発明の実施の形態１に係る受信装置の構成を示すブロック図
【図３】図１に示した多重部における各シンボルの多重パターンを示す図
【図４】図２に示したＤ−ｃｈ用チャネル補償部におけるチャネル補償の様子を示す図
【図５】各シンボルの多重パターンを示す図
【図６】各シンボルの多重パターンを示す図
【図７】実施の形態２における各シンボルの多重パターンを示す図
【図８】本発明の実施の形態２に係る受信装置の構成を示すブロック図
【図９】本発明の実施の形態３に係る送信装置の構成を示すブロック図
【図１０】図９に示した多重部における各シンボルの多重パターンを示す図
【図１１】本発明の実施の形態３に係る受信装置の構成を示すブロック図
【図１２】複製シンボルのチャネル補償及びシンボル合成の様子を示す図
【図１３】本発明の実施の形態４に係る送信装置の構成を示すブロック図
【図１４】図１３に示した多重分離部における各シンボルの多重パターンを示す図
【図１５】第１アンテナから送信される多重パターンを示す図
【図１６】第２アンテナから送信される多重パターンを示す図
【図１７】本発明の実施の形態４に係る受信装置の構成を示すブロック図
【発明を実施するための形態】
【００１７】
本発明の実施の形態では、Localized channel（以下、「Ｌ−ｃｈ」と記す）とDistributed channel（以下、「Ｄ−ｃｈ」と記す）とを時間−周波数多重して送信するシステムを想定して説明する。
【００１８】
以下、本発明の実施の形態について、図面を参照して詳細に説明する。ただし、実施の形態において、同一機能を有する構成には同一符号を付し、重複する説明は省略する。
【００１９】
（実施の形態１）
図１は、本発明の実施の形態１に係る送信装置１００の構成を示すブロック図である。この図において、パイロット信号生成部１０１は、パイロットシンボルを生成し、生成したパイロットシンボルを多重部１１３に出力する。
【００２０】
Ｄ−ｃｈ用第１データ処理部１０２は、符号化部１０３及びＱＰＳＫ変調部１０４を備え、入力されたＤ−ｃｈ（Distributed channel）送信データ＃１に対して所定のデータ処理を施す。具体的には、符号化部１０３がＤ−ｃｈ送信データ＃１に対して誤り訂正符号化処理を施し、固定変調手段としてのＱＰＳＫ変調部１０４が誤り訂正符号化処理された信号をＱＰＳＫ変調シンボルに変換する。ＱＰＳＫ変調シンボルは多重部１１３に出力される。以下、変調方式がＱＰＳＫに限定されるＤ−ｃｈを特定Ｄ−ｃｈと称する。
【００２１】
Ｄ−ｃｈ用第２データ処理部１０５は、符号化部１０６及び変調部１０７を備え、入力されたＤ−ｃｈ送信データ＃２に対して所定のデータ処理を施す。具体的には、符号化部１０６は、入力されたＤ−ｃｈ送信データ＃２に対して誤り訂正符号化処理を施し、変調部１０７は、誤り訂正符号化処理された信号をＱＰＳＫ、１６ＱＡＭ又は６４ＱＡＭなどの変調シンボルに変換する。変調シンボルは多重部１１３に出力される。
【００２２】
Ｌ−ｃｈ用データ処理部１０８は、符号化部１０９、１１１及び変調部１１０、１１２を備え、入力されたＬ−ｃｈ（Localized channel）送信データ＃１、＃２に対して所定のデータ処理を施す。具体的には、符号化部１０９がＬ−ｃｈ送信データ＃１に対して誤り訂正符号化処理を施し、変調部１１０は、誤り訂正符号化処理されたＬ−ｃｈ送信データ＃１をＱＰＳＫ、１６ＱＡＭ又は６４ＱＡＭなどの変調シンボルに変換する。同様に、符号化部１１１がＬ−ｃｈ送信データ＃２に対して誤り訂正符号化処理を施し、変調部１１２は、誤り訂正符号化処理されたＬ−ｃｈ送信データ＃２をＱＰＳＫ、１６ＱＡＭ又は６４ＱＡＭなどの変調シンボルに変換する。各変調部は変調シンボルを多重部１１３に出力する。
【００２３】
多重部１１３は、予め定められた多重パターン又は図示せぬ制御部等から出力された制御情報に従って、パイロット信号生成部１０１から出力されたパイロットシンボル、Ｄ−ｃｈ用第１データ処理部１０２から出力されたＤ−ｃｈ送信データ＃１、Ｄ−ｃｈ用第２データ処理部１０５から出力されたＤ−ｃｈ送信データ＃２及びＬ−ｃｈ用データ処理部１０８から出力されえたＬ−ｃｈ送信データ＃１、＃２の各シンボルを多重し、多重した信号（多重信号）をＩＦＦＴ部１１４に出力する。
【００２４】
ＩＦＦＴ部１１４は、多重部１１３から出力された多重信号に逆高速フーリエ変換（IFFT: Inverse Fast Fourier Transform）を施すことにより、周波数領域の信号を時間領域の信号に変換する。すなわち、多重信号を複数の直交するサブキャリアに周波数多重する。周波数多重された多重信号はＧＩ付加部１１５に出力される。
【００２５】
ＧＩ付加部１１５は、ＩＦＦＴ部１１４から出力された信号にガードインターバル（GI: Guard Interval）を付加し、ＧＩを付加した信号を送信ＲＦ部１１６に出力する。
【００２６】
送信ＲＦ部１１６は、ＧＩ付加部１１５から出力された信号にＤ／Ａ変換、直交変調（アップコンバート）等の所定の送信処理を施し、送信処理後の信号をアンテナ１１７を介して送信する。
【００２７】
図２は、本発明の実施の形態１に係る受信装置２００の構成を示すブロック図である。この図において、受信ＲＦ部２０２は、通信相手から送信され、アンテナ２０１を介して受信した信号に直交検波（ダウンコンバート）、Ａ／Ｄ変換等の所定の受信処理を施し、受信処理後の信号をＧＩ除去部２０３に出力する。
【００２８】
ＧＩ除去部２０３は、受信ＲＦ部２０２から出力された信号のＧＩを除去し、ＧＩを除去した信号をＦＦＴ部２０４に出力する。ＦＦＴ部２０４は、ＧＩ除去部２０３から出力された信号に高速フーリエ変換（FFT: Fast Fourier Transform）を施すことにより、時間領域の信号から周波数領域の信号に変換し、ＦＦＴ後の信号を分離部２０５に出力する。
【００２９】
分離部２０５は、予め定められた多重パターン又は図示せぬ制御部等から出力された制御信号に従って、ＦＦＴ部２０４から出力された信号をパイロットシンボル、Ｌ−ｃｈ及びＤ−ｃｈのシンボルに分離し、パイロットシンボルをチャネル推定部２０６に出力し、Ｄ−ｃｈシンボルをＤ−ｃｈ用チャネル補償部２０７に出力し、Ｌ−ｃｈシンボルをＬ−ｃｈ用チャネル補償部２１２に出力する。
【００３０】
チャネル推定部２０６は、分離部２０５から出力されたパイロットシンボルを用いてチャネル推定を行い、推定結果としてのチャネル推定値をＤ−ｃｈ用チャネル補償部２０７及びチャネル推定誤差補正部２１１に出力する。
【００３１】
Ｄ−ｃｈ用チャネル補償部２０７は、チャネル推定部２０６から出力されたチャネル推定値を用いて、分離部２０５から出力されたＤ−ｃｈシンボルのチャネル歪みを補償し、チャネル歪みを補償したＤ−ｃｈシンボルを復調部２０８及びチャネル推定誤差検出部２１０に出力する。
【００３２】
復調部２０８は、Ｄ−ｃｈ用チャネル補償部２０７から出力されたＤ−ｃｈシンボルの硬判定又は軟判定を行うことにより信号点判定を行い、判定結果を復号化部２０９に出力する。復号化部２０９は、復調部２０８から出力され判定結果に誤り訂正処理を行い、Ｄ−ｃｈの受信データを出力する。
【００３３】
チャネル推定誤差検出部２１０は、Ｄ−ｃｈ用チャネル補償部２０７から出力されたＤ−ｃｈシンボルのうち、ＱＰＳＫ変調された特定Ｄ−ｃｈシンボル（Ｄ−ｃｈ＃１）に基づいて、チャネル推定値の誤差成分（以下、「チャネル推定誤差」という）を検出し、検出したチャネル推定誤差をチャネル推定誤差補正部２１１に出力する。
【００３４】
チャネル推定誤差補正部２１１は、チャネル推定部２０６から出力されたチャネル推定値をチャネル推定誤差検出部２１０から出力されたチャネル推定誤差を用いて補正し、補正したチャネル推定値をＬ−ｃｈ用チャネル補償部２１２に出力する。
【００３５】
Ｌ−ｃｈ用チャネル補償部２１２は、チャネル推定誤差補正部２１１から出力されたチャネル推定値を用いて、分離部２０５から出力されたＬ−ｃｈシンボルのチャネル歪みを補償し、チャネル歪みを補償したＬ−ｃｈシンボルを復調部２１３に出力する。
【００３６】
復調部２１３は、Ｌ−ｃｈ用チャネル補償部２１２から出力されたＬ−ｃｈシンボルの硬判定又は軟判定を行うことにより信号点判定を行い、判定結果を復号化部２１４に出力する。復号化部２１４は、復調部２１３から出力され判定結果に誤り訂正処理を行い、Ｌ−ｃｈの受信データを出力する。
【００３７】
ここで、図１に示した多重部１１３における各シンボルの多重パターンについて説明する。多重部１１３では、パイロットシンボル、特定Ｄ−ｃｈ（Ｄ−ｃｈ＃１）、Ｄ−ｃｈ＃２、Ｌ−ｃｈ＃１、Ｌ−ｃｈ＃２の各シンボルを、図３に示すように、時間−周波数多重する。図３では、縦軸を周波数（サブキャリア数）、横軸を時間（ＯＦＤＭシンボル数）で表し、サブキャリア数を３２、送信データを割り当てる時間単位（TTI: Transmit Time Interval）に含まれるＯＦＤＭシンボル数を９とし、Ｄ−ｃｈ及びＬ−ｃｈをそれぞれ２チャネルずつ多重する場合を示している。
【００３８】
図３に示した多重パターンは、先頭のＯＦＤＭシンボルの全サブキャリア（サブキャリア＃１〜＃３２）にパイロットシンボルを配置する。また、２番目のＯＦＤＭシンボルには、サブキャリア＃３２にＤ−ｃｈ＃２を配置し、サブキャリア番号が４つ若くなる毎にＤ−ｃｈ＃１とＤ−ｃｈ＃２とをそれぞれ交互になるように配置する。サブキャリア＃１〜＃１６のうち残りのサブキャリアには、Ｌ−ｃｈ＃２を配置し、サブキャリア＃１７〜３２のうち残りのサブキャリアには、Ｌ−ｃｈ＃１を配置する。
【００３９】
３番目以降のＯＦＤＭシンボルについては、２番目のＤ−ｃｈ＃１及びＤ−ｃｈ＃２の配置を２サブキャリアずつサブキャリア番号が若い方へ巡回シフトして配置する。ただし、Ｌ−ｃｈ＃１はサブキャリア＃１７〜＃３２のうちＤ−ｃｈが配置された以外の領域に配置され、Ｌ−ｃｈ＃２はサブキャリア＃１〜＃１６のうちＤ−ｃｈが配置された以外の領域に配置される。
【００４０】
このようなＤ−ｃｈとＬ−ｃｈの多重パターン及び特定Ｄ−ｃｈシンボルの配置位置を送信装置１００と受信装置２００とで予め共有しておくことにより、送信装置１００はこれらの情報を受信装置２００に報知することなく、受信装置２００は特定Ｄ−ｃｈシンボルをチャネル推定に利用することができる。また、Ｄ−ｃｈとＬ−ｃｈの多重パターンは予め定められているので、Ｌ−ｃｈの送信データサイズが変動することはなく、送信処理及び受信処理が複雑化することを回避することができる。また、特定Ｄ−ｃｈはパイロットとして利用することができる送信データを割り当てるので、システムスループットの低下を回避することができる。
【００４１】
ここで、特定Ｄ−ｃｈに割り当てる送信データとして、受信品質が比較的劣悪であり、移動速度の速い端末宛のユーザデータ、複数の端末宛に送信するマルチキャストデータ、ブロードキャストデータ、マルチキャスト制御情報、ブロードキャスト制御情報などが挙げられる。
【００４２】
次に、図２に示した受信装置２００の動作について説明する。ただし、この受信装置２００に宛てられたデータはＬ−ｃｈに割り当てられているものとする。アンテナ２０１において受信された信号は、受信ＲＦ部２０２、ＧＩ除去部２０３、ＦＦＴ部２０４において順次処理され、分離部２０５においてパイロットシンボル、特定Ｄ−ｃｈシンボル、Ｄ−ｃｈ＃２シンボル、Ｌ−ｃｈシンボルに分離される。
【００４３】
分離されたパイロットシンボルは、チャネル推定部２０６において、チャネル推定に用いられ、チャネル推定値が算出される。
【００４４】
Ｄ−ｃｈ用チャネル補償部２０７では、チャネル推定部２０６において算出されたチャネル推定値を用いて、特定Ｄ−ｃｈシンボルのチャネル歪みの補正がシンボル毎に行われる。この様子を図４に示す。図４（ａ）では、チャネル補償前の特定Ｄ−ｃｈの受信シンボルが第１象限に位置している場合を示しており、チャネル補償により、図４（ｂ）に示すように、受信シンボルは第２象限に位置することになる。
【００４５】
チャネル推定誤差検出部２１０では、チャネル補償されたチャネル推定値の硬判定が行われ、いずれの象限の信号点で送信されたかが判定される。そして、硬判定された象限の送信信号点とチャネル補償後の受信シンボルの信号点との差がチャネル推定値の誤差、すなわち、チャネル推定誤差として算出される。図４（ｂ）の場合、既に述べたように、チャネル補償後の受信シンボルは第２象限に位置することから、第２象限の信号点で送信されたと判定され、矢印で示した分がチャネル推定誤差として検出される。
【００４６】
チャネル推定誤差検出部２１０では、特定Ｄ−ｃｈ以外のＤ−ｃｈやＬ−ｃｈが配置されるサブキャリアのチャネル推定誤差について、特定Ｄ−ｃｈを用いて検出されたチャネル推定誤差に基づいて、周波数軸方向及び時間軸方向に補間処理が行われる。なお、補間処理には、線形補間、スプライン補間、高次の補間アルゴリズムのいずれを用いてもよい。
【００４７】
チャネル推定誤差補正部２１１では、パイロット信号を用いて推定されたチャネル推定値を、チャネル推定誤差を用いてサブキャリア毎に補正する。
【００４８】
Ｌ−ｃｈ用チャネル補償部２１２では、自局宛のＬ−ｃｈに割り当てられた受信データのチャネル補償が、チャネル推定誤差が補正されたチャネル推定値を用いて行われ、チャネル補償された受信データが復調部２１３、復号化部２１４において順次処理される。
【００４９】
このように実施の形態１によれば、Ｌ−ｃｈ及びＤ−ｃｈの多重パターンが予め定められ、所定の位置に配置されるＤ−ｃｈの変調方式をＱＰＳＫに固定することにより、前記Ｄ−ｃｈの配置位置及び変調方式を受信装置に通知するシグナリングが不要となり、スループットを改善することができる。
【００５０】
また、受信装置において、変調方式がＱＰＳＫに固定されたＤ−ｃｈを用いてチャネル推定誤差を検出することにより、チャネル推定誤差の検出精度を向上させることができ、また、検出したチャネル推定誤差を用いて、自装置に割り当てられたＬ−ｃｈのチャネル補償を行うことにより、Ｌ−ｃｈのチャネル応答における時間変動及び周波数変動に追従することができ、Ｌ−ｃｈの受信特性を向上させることができる。
【００５１】
さらに、このように、変調方式がＱＰＳＫに固定されたＤ−ｃｈに割り当てられたデータをパイロットとして利用することになるので、パイロットの挿入数を減らすことになり、スループットを改善することができると共に、チャネル推定精度を向上させることができる。
【００５２】
なお、Ｄ−ｃｈはＬ−ｃｈが割り当てられているサブキャリア及びＯＦＤＭシンボルに挿入されるように多重されればよいので、図５及び図６に示すような配置パターンや、予め既知であればランダムな配置パターンでもよい。また、特定Ｄ−ｃｈの配置位置は、全送信帯域の全帯域又は一部の周波数帯域でもよい。
【００５３】
（実施の形態２）
本発明の実施の形態２に係る送信装置の構成は、図１に示した構成と同様であるので、図１を援用し、その詳しい説明は省略する。ただし、ＱＰＳＫ変調部１０４は、同一のデータを決められた回数繰り返し出力するものとする。ここでは、初回の出力を繰り返し数１とし、繰り返し数２（２回出力する）の場合について説明する。
【００５４】
図７に、図１に示した多重部１１３における各シンボルの多重パターンを示す。図７では、図３に示した多重パターンを時間軸方向に繰り返し配置することを示しており、特に、特定Ｄ−ｃｈについては２ＴＴＩ（ＴＴＩ＃１，＃２）にわたって同一データを繰り返し配置する様子を示している。すなわち、ＴＴＩ＃１において割り当てたデータと同一データ（Ｓ１〜Ｓ３２）をＴＴＩ＃２に割り当てている。なお、ＴＴＩ＃２のＤ−ｃｈ＃２及びＬ−ｃｈには、ＴＴＩ＃１と同様に送信データを割り当てる。
【００５５】
このようなＤ−ｃｈとＬ−ｃｈの多重パターン、特定Ｄ−ｃｈシンボルの配置位置及び特定Ｄ−ｃｈに割り当てられる送信データの繰り返し数Ｎを送信装置と受信装置とで予め共有しておくことにより、送信装置はこれらの情報を受信装置に報知することなく、受信装置は特定Ｄ−ｃｈシンボルをチャネル推定に利用することができる。
【００５６】
図８は、本発明の実施の形態２に係る受信装置３００の構成を示すブロック図である。図８が図２と異なる点は、レプリカ生成部３０１を追加した点と、チャネル推定誤差検出部２１０をチャネル推定誤差検出部３０４に変更した点である。なお、レプリカ生成部３０１は、符号化部３０２及びＱＰＳＫ変調部３０３を備える。
【００５７】
図８において、復号化部２０９は、復調部２０８から出力され信号点判定結果に誤り訂正処理を行い、特定Ｄ−ｃｈの受信データを取得する。このとき、特定Ｄ−ｃｈの受信データに誤りがなければ、取得した特定Ｄ−ｃｈの受信データをレプリカ生成部３０１に出力し、誤りがあれば、レプリカ生成部３０１への出力は停止する。
【００５８】
レプリカ生成部３０１は、復号化部２０９から出力された特定Ｄ−ｃｈの受信データから、特定Ｄ−ｃｈの送信シンボルのレプリカを生成し、生成したレプリカをチャネル推定誤差検出部３０４に出力する。具体的には、送信装置において特定Ｄ−ｃｈ送信シンボルを生成するのと同様に、符号化部３０２が特定Ｄ−ｃｈ受信データに対して誤り訂正符号化処理を施し、ＱＰＳＫ変調部３０３は、誤り訂正符号化処理された信号をＱＰＳＫ変調シンボルに変換し、ＱＰＳＫ変調シンボルを送信シンボルのレプリカとしてチャネル推定誤差検出部３０４に出力する。
【００５９】
チャネル推定誤差検出部３０４は、ＴＴＩ＃１において多重された特定Ｄ−ｃｈを処理する場合、チャネル補償された特定Ｄ−ｃｈシンボルに基づいて、チャネル推定値の誤差成分を検出し、検出したチャネル推定誤差をチャネル推定誤差補正部２１１に出力する。
【００６０】
また、チャネル推定誤差検出部３０４は、ＴＴＩ＃２において多重された特定Ｄ−ｃｈを処理する場合、ＴＴＩ＃１において多重された特定Ｄ−ｃｈの受信データに誤りがなければ、レプリカ生成部３０１から出力されたレプリカを用いて、チャネル推定誤差を検出する。特定Ｄ−ｃｈの２回目のチャネル推定誤差の検出では、１回目に送信されたデータシンボルの送信信号点が既知となるので、象限判定誤差をなくすことができ、チャネル推定誤差の検出精度が向上する。なお、レプリカを用いたチャネル推定誤差の検出は、例えば、特開２００１−０６９１１７号公報等に開示の既知の方法を用いるものとする。
【００６１】
また、ＴＴＩ＃１において多重された特定Ｄ−ｃｈの受信データに誤りがあれば、ＴＴＩ＃２において多重された特定Ｄ−ｃｈの処理は、ＴＴＩ＃１と同様の処理を行い、チャネル推定誤差を検出する。
【００６２】
このように本実施の形態２によれば、特定Ｄ−ｃｈによって繰り返し送信されたデータを受信した受信装置において、特定Ｄ−ｃｈのデータを誤りなく復号できた場合、誤りのない受信データからレプリカを生成し、生成したレプリカと、誤りなのない受信データの後に送信された特定Ｄ−ｃｈのデータとを用いてチャネル推定誤差を検出することにより、チャネル推定誤差の検出精度をさらに向上させることができる。
【００６３】
なお、本実施の形態では、特定Ｄ−ｃｈに割り当てたデータを２ＴＴＩにわたって繰り返し配置する場合について説明したが、本発明はこれに限らず、２ＴＴＩ以上にわたって繰り返し配置してもよい。
【００６４】
また、本実施の形態では、複数のＴＴＩによって特定Ｄ−ｃｈの同一送信データを繰り返し送信する場合に、特定Ｄ−ｃｈの配置位置を同一としたが、本発明はこれに限らず、送信を繰り返すたびに、特定Ｄ−ｃｈの配置位置を異なるようにしてもよく、この場合、送信装置と受信装置との間で特定Ｄ−ｃｈの配置位置を予め共有しておく必要がある。
【００６５】
また、本実施の形態の受信装置では、初回に取得した特定Ｄ−ｃｈの受信シンボルと繰り返し取得した受信シンボルとをシンボル合成又は尤度合成を行うことにより、初回に取得した特定Ｄ−ｃｈの受信データに誤りが検出されても、特定Ｄ−ｃｈを繰り返し取得するたびに、受信データが誤りなしとする可能性を高めることができる。これにより、チャネル応答の時間変動が速いため、１６ＱＡＭ及び６４ＱＡＭなどの多値変調を適用できない受信装置であっても、１６ＱＡＭ又は６４ＱＡＭが適用されたデータを受信することができる。
【００６６】
（実施の形態３）
図９は、本発明の実施の形態３に係る送信装置４００の構成を示すブロック図である。図９が図１と異なる点は、シンボル複製部４０１を追加した点である。図９において、シンボル複製部４０１は、ＱＰＳＫ変調部１０４から出力されたＱＰＳＫ変調シンボルを複数シンボル分複製し、複製した複数のＱＰＳＫ変調シンボルを多重部１１３に出力する。
【００６７】
図１０に、図９に示した多重部１１３における各シンボルの多重パターンを示す。図１０では、図３に示した多重パターンの特定Ｄ−ｃｈの配置位置において、同一のＯＦＤＭシンボルには同一のシンボル（複製シンボル）を割り当てる様子を示している。すなわち、多重部１１３は、同一のＯＦＤＭシンボルの異なるサブキャリアに同一のシンボルを配置する。また、図１０では、各ＯＦＤＭシンボルには、異なるシンボルを配置する様子を示しており、具体的には、２番目のＯＦＤＭシンボルにはシンボルＳ１を、３番目のＯＦＤＭシンボルにはシンボルＳ２を配置し、このように順に９番目のＯＦＤＭシンボルにシンボルＳ８までを配置している。
【００６８】
図１１は、本発明の実施の形態３に係る受信装置５００の構成を示すブロック図である。図１１が図２と異なる点は、残留位相誤差検出部５０１を追加した点と、チャネル推定誤差補正部２１１をチャネル推定誤差補正部５０２に変更した点である。
【００６９】
図１１において、残留位相誤差検出部５０１は、Ｄ−ｃｈ用チャネル補償部２０７から出力されたＤ−ｃｈシンボルのうち、複製された特定Ｄ−ｃｈシンボルに基づいて、ＡＦＣ（Automatic Frequency Control）による位相補正誤差及び位相雑音などにより発生する位相誤差などの残留位相誤差を検出し、検出した残留位相誤差をチャネル推定誤差補正部５０２に出力する。
【００７０】
チャネル推定誤差補正部５０２は、残留位相誤差検出部５０１から出力された残留位相誤差を用いて、ＯＦＤＭシンボル毎に各サブキャリアのチャネル推定値を補正する。
【００７１】
次に、図１１に示した受信装置５００の動作について説明する。ただし、実施の形態１において既に説明した内容と重複する部分については省略する。
【００７２】
Ｄ−ｃｈ用チャネル補償部２０７では、チャネル推定部２０６において算出されたチャネル推定値を用いて、特定Ｄ−ｃｈシンボルのチャネル歪みの補正がシンボル毎に行われる。この様子を図１２に示す。図１２（ａ）は同一のＯＦＤＭシンボルで送信された複製シンボルの受信信号点を示し、図１２（ｂ）はチャネル補償された複製シンボルの信号点を示している。
【００７３】
残留位相誤差検出部５０１では、Ｄ−ｃｈ用チャネル補償部２０７においてチャネル補償された複製シンボルをシンボル間で最大比合成又は等利得合成などによりシンボル合成する。この様子を図１２（ｃ）に示す。残留位相誤差は全てのサブキャリアに対して同一の変動を与えるため、複製シンボルをシンボル間でシンボル合成することにより、残留位相誤差の検出精度を向上させることができる。
【００７４】
そして、残留位相誤差検出部５０１では、シンボル合成した信号点の硬判定が行われ、いずれの象限の信号点で送信されたかが判定される。硬判定された象限の送信信号点とシンボル合成後の信号点との差が残留位相誤差、すなわち、チャネル推定誤差として検出される。図１２（ｃ）の場合、第２象限の信号点で送信されたと硬判定され、矢印で示した分が残留位相誤差として検出される。
【００７５】
チャネル推定誤差補正部５０２では、残留位相誤差検出部５０１において検出されたＯＦＤＭシンボル毎の残留位相誤差を用いて、ＯＦＤＭシンボル毎に各サブキャリアのチャネル推定値が補正される。
【００７６】
このように実施の形態３によれば、特定Ｄ−ｃｈの同一ＯＦＤＭシンボルに割り当てるシンボルを複製した同一シンボルとし、受信装置において、チャネル補償を行った複製シンボル同士をシンボル合成し、残留位相誤差を検出することにより、周波数シンセサイザの位相雑音により生じる位相誤差やＡＦＣによって補償しきれかなった残留位相誤差を精度よく補償することができるので、受信特性を向上させることができる。特に、位相誤差が受信特性の劣化を招きやすい１６ＱＡＭ、６４ＱＡＭなどの多値変調によって変調されたデータの受信特性を向上させることができる。
【００７７】
また、本実施の形態では、複製シンボルを１つの同一ＯＦＤＭシンボルに割り当てるものとして説明したが、本発明はこれに限らず、複製シンボル数を増やし、複数のＯＦＤＭシンボルに同一のシンボルを割り当てるようにしてもよい。例えば、複製元のＱＰＳＫ変調シンボルも含め８シンボルの同一シンボルを異なる２つのＯＦＤＭシンボルに４シンボルずつ割り当てるようにしてもよい。
【００７８】
（実施の形態４）
図１３は、本発明の実施の形態４に係る送信装置６００の構成を示すブロック図である。ただし、図１３が図１と異なる点は、Ｄ−ｃｈ用第２データ処理部１０５をＤ−ｃｈ用第２データ処理部６０１に変更した点と、多重部１１３を多重分離部６０３に変更した点と、ＩＦＦＴ部６０４、ＧＩ付加部６０５、送信ＲＦ部６０６及びアンテナ６０７を追加した点である。なお、Ｄ−ｃｈ用第２データ処理部６０１は、符号化部１０６とＱＰＳＫ変調部６０２とを備える。
【００７９】
図１３において、Ｄ−ｃｈ用第２データ処理部６０１は、Ｄ−ｃｈ用第１データ処理部１０２と同様に、符号化部１０６が入力されたＤ−ｃｈ送信データ＃２に対して誤り訂正符号化処理を施し、ＱＰＳＫ変調部６０２が誤り訂正符号化処理された信号をＱＰＳＫ変調シンボルに変換する。ＱＰＳＫ変調シンボルは多重分離部６０３に出力される。
【００８０】
多重分離部６０３は、予め定められた多重パターン又は図示せぬ制御部等から出力された制御情報に従って、パイロットシンボル、Ｄ−ｃｈ送信データ＃１、Ｌ−ｃｈ送信データ＃１、＃２の各シンボルをアンテナ１１７（以下、「第１アンテナ１１７」と記す）用に多重し、パイロットシンボル、Ｄ−ｃｈ送信データ＃２、Ｌ−ｃｈ送信データ＃１、＃２の各シンボルをアンテナ６０７（以下、「第２アンテナ６０７」と記す）用に多重する。すなわち、Ｄ−ｃｈ送信データ＃１を第１アンテナ１１７用に振り分け、Ｄ−ｃｈ送信データ＃２を第２アンテナ６０７用に振り分ける。Ｄ−ｃｈ送信データ＃１が振り分けられた第１多重信号はＩＦＦＴ部１１４に、Ｄ−ｃｈ送信データ＃２が振り分けられた第２多重信号はＩＦＦＴ部６０４にそれぞれ出力される。
【００８１】
図１４に、図１３に示した多重分離部６０３における各シンボルの多重パターンを示す。この多重パターンは、先頭のＯＦＤＭシンボルの全サブキャリア（サブキャリア＃１〜＃３２）にパイロットシンボルを配置し、かつ、サブキャリア番号が奇数のサブキャリアを第１アンテナ用に振り分け、サブキャリア番号が偶数のサブキャリアを第２アンテナ用に振り分ける。また、２番目以降のＯＦＤＭシンボルについては、図３に示したパターンと同様であるが、Ｄ−ｃｈ＃１を第１アンテナに振り分け、Ｄ−ｃｈ＃２を第２アンテナに振り分ける点が図３とは異なる。
【００８２】
図１５及び図１６に多重パターンをアンテナ毎に振り分けた場合の様子を示す。図１５は、第１アンテナから送信される多重パターンであり、図１６は、第２アンテナから送信される多重パターンである。このように、送信装置では、１つのアンテナのみから送信する特定Ｄ−ｃｈをアンテナ数分設定する。ここでは、アンテナ数２なので、特定Ｄ−ｃｈをＤ−ｃｈ＃１、Ｄ−ｃｈ＃２に分けて設定している。なお、Ｌ−ｃｈはＭＩＭＯ−ＳＤＭ送信されるものとする。
【００８３】
図１７は、本発明の実施の形態４に係る受信装置７００の構成を示すブロック図である。図１７が図２と異なる点は、アンテナ７０１、受信ＲＦ部７０２、ＧＩ除去部７０３、ＦＦＴ部７０４、分離部７０５、空間分離部７０６、ＭＩＭＯチャネル推定部７０７、Ｄ−ｃｈ用チャネル補償部７０８、ＭＩＭＯチャネル推定誤差検出部７０９、ＭＩＭＯチャネル推定誤差補正部７１０を追加した点である。
【００８４】
アンテナ７０１において受信された信号は、受信ＲＦ部７０２、ＧＩ除去部７０３、ＦＦＴ部７０４において順次処理され、分離部７０５に出力される。
【００８５】
分離部７０５では、アンテナ２０１で受信され、ＦＦＴ部２０４によって時間領域の信号から周波数領域の信号に変換された信号と、アンテナ７０１で受信され、ＦＦＴ部７０４によって時間領域の信号から周波数領域の信号に変換された信号とを空間分離部７０６に出力する一方、これらの信号からＭＩＭＯ送信された信号と、パイロット信号と、Ｄ−ｃｈ＃１と、Ｄ−ｃｈ＃２とが分離される。パイロット信号はＭＩＭＯチャネル推定部７０７に、Ｄ−ｃｈ＃１及びＤ−ｃｈ＃２はＤ−ｃｈ用チャネル補償部７０８にそれぞれ出力される。
【００８６】
ＭＩＭＯチャネル推定部７０７は、分離部７０５から出力されたパイロットシンボルを用いて、送信アンテナ１１７から送信され、受信アンテナ２０１に到来した伝搬経路のチャネル推定（ｈ１１）、送信アンテナ１１７から送信され、受信アンテナ７０１に到来した伝搬経路のチャネル推定（ｈ１２）、送信アンテナ６０７から送信され、受信アンテナ２０１に到来した伝搬経路のチャネル推定（ｈ２１）、送信アンテナ６０７から送信され、受信アンテナ７０１に到来した伝搬経路のチャネル推定（ｈ２２）をそれぞれ行い、推定結果としてのチャネル推定値（ｈ１１、ｈ１２、ｈ２１、ｈ２２）をＤ−ｃｈ用チャネル補償部７０８及びＭＩＭＯチャネル推定誤差補正部７１０に出力する。
【００８７】
Ｄ−ｃｈ用チャネル補償部７０８は、ＭＩＭＯチャネル推定部７０７から出力されたチャネル推定値を用いて、Ｄ−ｃｈ＃１およびＤ−ｃｈ＃２の受信データシンボルのチャネル歪みを補償し、チャネル歪みを補償した受信データシンボルをＭＩＭＯチャネル推定誤差検出部７０９に出力する。
【００８８】
ＭＩＭＯチャネル推定誤差検出部７０９は、Ｄ−ｃｈ用チャネル補償部７０８から出力された受信データシンボルのうち、ＱＰＳＫ変調された特定Ｄ−ｃｈシンボル（Ｄ−ｃｈ＃１およびＤ−ｃｈ＃２）に基づいて、各伝搬経路のチャネル推定値の誤差成分（ｈ１１’、ｈ１２’、ｈ２１’、ｈ２２’）を検出し、検出したチャネル推定誤差をＭＩＭＯチャネル推定誤差補正部７１０に出力する。
【００８９】
ＭＩＭＯチャネル推定誤差補正部７１０は、ＭＩＭＯチャネル推定部７０７から出力されたチャネル推定値（ｈ１１、ｈ１２、ｈ２１、ｈ２２）をチャネル推定誤差検出部７０９から出力されたチャネル推定誤差（ｈ１１’、ｈ１２’、ｈ２１’、ｈ２２’）を用いて補正し、補正したチャネル推定値を空間分離部７０６に出力する。
【００９０】
空間分離部７０６は、ＭＩＭＯチャネル推定誤差補正部７１０から出力されたチャネル推定値を用いて、分離部７０５から出力され、空間多重されたすべての受信信号（ＭＩＭＯ送信された信号、パイロット信号、Ｄ−ｃｈ＃１、Ｄ−ｃｈ＃２）を、送信装置において送信したアンテナ毎のストリームに分離し、分離部２０５に出力する。
【００９１】
このように実施の形態４によれば、送信装置が複数のアンテナからそれぞれ異なる特定Ｄ−ｃｈを送信すると共に、Ｌ−ｃｈデータをＭＩＭＯ送信し、受信装置では、受信した特定Ｄ−ｃｈを用いて、ＭＩＭＯ送信されたＬ−ｃｈのチャネル補償を行うことができるので、ＭＩＭＯ伝送においてもＤ−ｃｈをパイロット信号として利用することができる。
【００９２】
なお、本実施の形態では、アンテナ数２の場合について説明したが、本発明はこれに限らず、アンテナ数２以上でもよい。
【００９３】
また、本実施の形態では、送信装置が１つのアンテナのみから送信される特定Ｄ−ｃｈをアンテナ数分設定するものとして説明したが、１つの特定Ｄ−ｃｈを複数の異なるアンテナにシンボル毎に固定する設定を行ってもよい。
【００９４】
なお、上記各実施の形態では、特定Ｄ−ｃｈの変調方式をＱＰＳＫに固定するものとして説明したが、本発明はこれに限らず、振幅が一定のＢＰＳＫ、ＱＰＳＫ、オフセットＰＳＫなどのＰＳＫ変調を用いてもよいし、変調時の位相が一定のＡＳＫ変調を用いてもよい。
【００９５】
また、上記各実施の形態では、Ｄ−ｃｈ及びＬ−ｃｈをそれぞれ２チャネルずつ用いる場合について説明したが、本発明はこれに限らず、それぞれ１チャネル、あるいは２チャネル以上用いてもよい。
【００９６】
また、上記各実施の形態における特定Ｄ−ｃｈの送信方法は、互いに適宜組み合わせて実施可能である。
【００９７】
また、上記各実施の形態では、Ｌ−ｃｈに自装置宛のデータが割り当てられる場合について説明したが、特定Ｄ−ｃｈ以外のＤ−ｃｈに自装置宛のデータが割り当てられる場合もＬ−ｃｈ同様に、チャネル推定誤差が補正されたチャネル推定値を用いてチャネル補償するようにしてもよい。
【００９８】
また、上記各実施の形態では、本発明をハードウェアで構成する場合を例にとって説明したが、本発明はソフトウェアで実現することも可能である。
【００９９】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１００】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１０１】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１０２】
本明細書は、２００５年８月５日出願の特願２００５−２２８４４７に基づくものである。この内容は全てここに含めておく。
【産業上の利用可能性】
【０１０３】
本発明にかかる無線送信装置、無線受信装置及び無線通信方法は、パイロット信号を増加させずにチャネル推定精度を向上させるという効果を有し、無線通信基地局装置及び無線通信移動局装置等に適用できる。
【符号の説明】
【０１０４】
１０１  パイロット信号生成部
１０２  Ｄ−ｃｈ用第１データ処理部
１０３、１０６、１０９、１１１、３０２  符号化部
１０４、３０３、６０２  ＱＰＳＫ変調部
１０５、６０１  Ｄ−ｃｈ用第２データ処理部
１０７、１１０、１１２  変調部
１０８  Ｌ−ｃｈ用データ処理部
１１３  多重部
１１４、６０４  ＩＦＦＴ部
１１５、６０５  ＧＩ付加部
１１６、６０６  送信ＲＦ部
１１７、２０１、６０７、７０１  アンテナ
２０２、７０２  受信ＲＦ部
２０３、７０３  ＧＩ除去部
２０４、７０４  ＦＦＴ部
２０５、７０５  分離部
２０６  チャネル推定部
２０７  Ｄ−ｃｈ用チャネル補償部
２０８、２１３  復調部
２０９、２１４  復号化部
２１０、３０４  チャネル推定誤差検出部
２１１、５０２  チャネル推定誤差補正部
２１２  Ｌ−ｃｈ用チャネル補償部
３０１  レプリカ生成部
４０１  シンボル複製部
５０１  残留位相誤差検出部
６０３  多重分離部
７０６  空間分離部
【図１】
2012019542.tif 000003
【図２】
2012019542.tif 000004
【図３】
2012019542.tif 000005
【図４】
2012019542.tif 000006
【図５】
2012019542.tif 000007
【図６】
2012019542.tif 000008
【図７】
2012019542.tif 000009
【図８】
2012019542.tif 000010
【図９】
2012019542.tif 000011
【図１０】
2012019542.tif 000012
【図１１】
2012019542.tif 000013
【図１２】
2012019542.tif 000014
【図１３】
2012019542.tif 000015
【図１４】
2012019542.tif 000016
【図１５】
2012019542.tif 000017
【図１６】
2012019542.tif 000018
【図１７】
2012019542.tif 000019